(57)【要約】      （修正有）【課題】フルブリード印刷可能な可撓性層を有する印刷可能媒体を提供する。【解決手段】キャリア層５２、第１の封筒５４、及び第１の接着剤を含む印刷可能媒体。キャリア層は、第１の面積６０を有する第１の表面５８、及び第１の表面の反対側の第２の表面６２を含む。第１の封筒は、第３の表面、第３の表面の反対側の第４の表面、及び第１の面積よりも小さい第２の面積を含む。第１の封筒は、第４の表面を第１の表面に接合する第１の接着剤によってキャリア層に固着される。【選択図】図２
2020075764.tif 000002
【特許請求の範囲】
【請求項１】
印刷可能媒体であって、
第１の面積を備える第１の表面、及び前記第１の表面の反対側の第２の表面を備える、キャリア層と、
第３の表面、前記第３の表面の反対側の第４の表面、及び前記第１の面積よりも小さい第２の面積を備える、第１の封筒と、
第１の接着剤と、を備え、
前記第１の封筒が、前記第４の表面を前記第１の表面に接合する前記第１の接着剤によって前記キャリア層に固着される、印刷可能媒体。
【請求項２】
前記第１の接着剤が、前記第１の領域上に堆積される、請求項１に記載の印刷可能媒体。
【請求項３】
前記第１の面積が、前記第１の表面の総面積以下である、請求項２に記載の印刷可能媒体。
【請求項４】
前記キャリア層が、前記第２の表面上の第３の面積を更に備え、前記第１の封筒が、第１の閉じ部を備え、前記第１の接着剤が、前記第１の面積上に堆積され、第２の接着剤が、前記第３の面積上に堆積され、前記第１の封筒が、前記第４の表面を前記第１の表面に接合する前記第１の接着剤、及び前記第１の閉じ部を前記第２の表面に接合する前記第２の接着剤によって前記キャリア層に固着される、請求項１に記載の印刷可能媒体。
【請求項５】
第５の表面、前記第５の表面の反対側の第６の表面、及び前記第１の面積よりも小さい第３の面積を備える、第２の封筒を更に備え、
前記第２の封筒が、前記第６の表面を前記第１の表面に接合する前記第１の接着剤によって前記キャリア層に固着される、請求項１に記載の印刷可能媒体。
【請求項６】
前記第２の面積と前記第３の面積との組み合わせが、前記第１の面積よりも小さい、請求項５に記載の印刷可能媒体。
【請求項７】
前記第１の封筒が、第１の縁部を備え、前記第２の封筒が、第２の縁部を備え、前記第１の縁部が、前記第２の縁部に接触する、請求項５に記載の印刷可能媒体。
【請求項８】
前記第１の封筒が、第１の縁部を備え、前記第２の封筒が、第２の縁部を備え、前記第１の縁部が、前記第２の縁部に隣接し、前記第２の縁部から分離されている、請求項５に記載の印刷可能媒体。
【請求項９】
第７の表面、前記第７の表面の反対側の第８の表面、及び前記第１の面積よりも小さい第４の面積を備える、第３の封筒を更に備え、
前記第３の封筒が、前記第８の表面を前記第１の表面に接合する前記第１の接着剤によって前記キャリア層に固着される、請求項５に記載の印刷可能媒体。
【請求項１０】
前記第２の面積と、前記第３の面積と、前記第４の面積との組み合わせが、前記第１の面積よりも小さい、請求項９に記載の印刷可能媒体。
【請求項１１】
前記第１の封筒が、第１の縁部を備え、前記第２の封筒が、第２の縁部及び第３の縁部を備え、前記第３の封筒が、第４の縁部を備え、前記第１の縁部が、前記第２の縁部に接触し、前記第３の縁部が、前記第４の縁部に接触する、請求項９に記載の印刷可能媒体。
【請求項１２】
前記第１の封筒が、第１の縁部を備え、前記第２の封筒が、第２の縁部及び第３の縁部を備え、前記第３の封筒が、第４の縁部を備え、前記第１の縁部が、前記第２の縁部に隣接し、前記第２の縁部から分離されており、前記第３の縁部が、前記第４の縁部に隣接し、前記第４の縁部から分離されている、請求項９に記載の印刷可能媒体。
【請求項１３】
第９の表面、前記第９の表面の反対側の第１０の表面、及び前記第１の面積よりも小さい第５の面積、を備える、第４の封筒を更に備え、
前記第４の封筒が、前記第１０の表面を前記第１の表面に接合する前記第１の接着剤によって前記キャリア層に固着される、請求項９に記載の印刷可能媒体。
【請求項１４】
前記第２の面積と、前記第３の面積と、前記第４の面積と、前記第５の面積との組み合わせが、前記第１の面積よりも小さい、請求項１３に記載の印刷可能媒体。
【請求項１５】
前記第１の封筒が、第１の縁部を備え、前記第２の封筒が、第２の縁部及び第３の縁部を備え、前記第３の封筒が、第４の縁部及び第５の縁部を備え、前記第４の封筒が、第６の縁部を備え、前記第１の縁部が、前記第２の縁部に接触し、前記第３の縁部が、前記第４の縁部に接触し、前記第５の縁部が、前記第６の縁部に接触する、請求項１３に記載の印刷可能媒体。
【請求項１６】
前記第１の封筒が、第７の縁部を備え、前記第４の封筒が、第８の縁部を備え、前記第７の縁部が、前記第８の縁部に接触する、請求項１５に記載の印刷可能媒体。
【請求項１７】
前記第１の封筒が、第１の縁部を備え、前記第２の封筒が、第２の縁部、第３の縁部、及び第４の縁部を備え、前記第３の封筒が、第５の縁部を備え、前記第４の封筒が、第６の縁部を備え、前記第１の縁部が、前記第２の縁部に接触し、前記第３の縁部が、前記第５の縁部に接触し、前記第４の縁部が、前記第６の縁部に接触する、請求項１３に記載の印刷可能媒体。
【請求項１８】
前記第１の封筒が、第１の縁部を備え、前記第２の封筒が、第２の縁部及び第３の縁部を備え、前記第３の封筒が、第４の縁部及び第５の縁部を備え、前記第１の縁部が、前記第２の縁部に隣接し、前記第２の縁部から分離されており、前記第３の縁部が、前記第４の縁部に隣接し、前記第４の縁部から分離されており、前記第５の縁部が、前記第６の縁部に隣接し、前記第６の縁部から分離されている、請求項１３に記載の印刷可能媒体。
【請求項１９】
前記第１の封筒が、第７の縁部を備え、前記第４の封筒が、第８の縁部を備え、前記第７の縁部が、前記第８の縁部に隣接し、前記第８の縁部から分離されている、請求項１８に記載の印刷可能媒体。
【請求項２０】
前記第１の封筒が、第１の縁部を備え、前記第２の封筒が、第２の縁部、第３の縁部、及び第４の縁部を備え、前記第３の封筒が、第５の縁部を備え、前記第４の封筒が、第６の縁部を備え、前記第１の縁部が、前記第２の縁部に隣接し、前記第２の縁部から分離されており、前記第３の縁部が、前記第５の縁部に隣接し、前記第５の縁部から分離されており、前記第４の縁部が、前記第６の縁部に隣接し、前記第６の縁部から分離されている、請求項１３に記載の印刷可能媒体。
【請求項２１】
前記キャリア層が、リード縁部及びトレール縁部を備え、前記第１の封筒が、第１の閉じ部を備え、前記第１の閉じ部が、前記トレール縁部に向かって方向付けられている、請求項１に記載の印刷可能媒体。
【請求項２２】
前記キャリア層が、内部に一体的に形成されたカードを更に備え、前記カードが、前記第１の面積の外側に位置付けられる、請求項１に記載の印刷可能媒体。
【請求項２３】
前記第１の接着剤によって前記キャリア層に固着されるカード、を更に備える、請求項１に記載の印刷可能媒体。
【請求項２４】
印刷可能媒体であって、
第１の表面、前記第１の表面の反対側の第２の表面、及び第１のスロット、を備える、キャリア層と、
第１の閉じ部及び第１の面積を備える、第１の封筒と、を備え、
前記第１の封筒が、前記第１の閉じ部が前記第２の表面に隣接するように、前記第１の閉じ部を前記第１のスロットに通過させることによって前記キャリア層に固着され、前記第１の面積が、前記第１の表面の総面積よりも小さい、印刷可能媒体。
【請求項２５】
印刷可能媒体であって、
第１の面積を備える第１の表面、前記第１の表面の反対側の第２の表面、及び第１の剛性、を備える、キャリア層と、
前記第１の面積上に堆積された第１の接着剤と、
ライナー層と、を備え、前記ライナー層が、前記ライナー層を第１の部分と第２の部分とに分離するように配置された第１の切れ目線を備え、前記ライナー層が、前記第１の接着剤によって前記キャリア層に解放可能に固着され、
第３の表面、前記第３の表面の反対側の第４の表面、及び前記第１の剛性よりも小さい第２の剛性、を備える、可撓性材料が、前記ライナー層の前記第１の部分及び前記第２の部分のうちの少なくとも１つを除去した後に、前記第４の表面を前記第１の表面に接合する前記第１の接着剤によって前記キャリア層に固着される、印刷可能媒体。
【請求項２６】
フルブリード封筒を印刷する方法であって、
第１の接着剤を用いて第１の封筒をキャリア層に解放可能に固着することであって、前記キャリア層が、第１の面積を備える第１の表面、及び前記第１の表面の反対側の第２の表面を備え、前記第１の封筒が、第１の縁部を備える第３の表面、前記第３の表面の反対側の第４の表面、及び前記第１の面積よりも小さい第２の面積を備え、前記第１の封筒が、前記第４の表面を前記第１の表面に接合する前記第１の接着剤によって前記キャリア層に解放可能に固着される、解放可能に固着することと、
第１の乾燥マーキング材料を、前記第１の封筒の前記第３の表面の前記第１の縁部にすぐ隣接して塗布することと、
融着器を用いて、前記第１の乾燥マーキング材料を前記第１の封筒に融着させることと、を含む、方法。
【請求項２７】
フルブリード封筒を印刷する方法であって、
第１の接着剤を用いて第１の封筒をキャリア層に解放可能に固着することであって、前記キャリア層が、第１の面積を備える第１の表面、及び前記第１の表面の反対側の第２の表面を備え、前記第１の封筒が、第１の縁部を備える第３の表面、前記第３の表面の反対側の第４の表面、及び前記第１の面積よりも小さい第２の面積を備え、前記第１の封筒が、前記第４の表面を前記第１の表面に接合する前記第１の接着剤によって前記キャリア層に解放可能に固着される、解放可能に固着することと、
第１の液体マーキング材料を、前記第１の封筒の前記第３の表面の前記第１の縁部にすぐ隣接して塗布することと、
乾燥機を用いて、前記第１の液体マーキング材料を前記第１の封筒に対して乾燥させることと、を含む、方法。
【発明の詳細な説明】
【技術分野】
【０００１】
本開示の実施形態は、可撓性層を有する印刷可能媒体、及び更により具体的には、支持キャリア層及びそれに装着された印刷可能媒体、例えば、布地層、封筒などを含む印刷可能媒体を含むが、これらに限定されない、印刷可能媒体を提供することを対象とする。更に、本開示の実施形態は、前述の印刷可能媒体を使用して画像を形成する方法を対象とする。
【０００２】
紙の上に画像を形成、例えば、印刷することは、当該技術分野において周知である。紙媒体上に画像及びテキストを形成するために、オフセット印刷、乾式複写、インク堆積などが長年使用されてきた。しかしながら、時間が進むにつれて、旧来の紙媒体以外の基材上に印刷する要望への関心がますます高まっている。紙上に画像を形成することは周知であり、適度に予測可能であるが、様々な他の基材及び様々な構成の紙媒体上に画像を形成することは、達成することが困難であったが、結果は劇的に変化する可能性がある。例えば、カードストックへの乾式複写印刷は、融着が適切に実施された場合に耐久性を有する高い画像品質を生成し得るか、又は、融着が不適切である場合には、カードストックから擦り落とされる画像をもたらし得る。同様に、１つ以上の折り畳まれた表面を備える紙媒体、例えば、封筒の上に画像を形成することは、達成することが困難である。同様に、旧来の画像形成技術を使用して、布地、ティッシュペーパー、及び他の可撓性材料などのあまり一般的ではない材料の上に画像を形成することは、困難であり、一貫性がなく、かつ用途が限定されている。したがって、布地及び可撓性材料の上に画像を形成する既知のシステムは、緩徐で、高い画像品質を欠く。
【０００３】
更に、紙基材上に画像を旧来のように形成する既知のシステムは、使用され得る紙基材のサイズ、例えば、１１”×１７に限定される。印刷された物品のサイズ、すなわち、長さ及び／又は幅を増加させることは、常に困難なタスクであった。この問題の主な理由は、プリンタハードウェアがある特定の寸法のために設計され、ハードウェアの柔軟性及び拡張性は、コスト及び複雑さを増加させることなく計画することが困難であることである。
【０００４】
また更に、従来の印刷システムの構成は、フルブリード印刷するように構成されていない。本明細書で使用される場合、「フルブリード」とは、印刷媒体の少なくとも一部分を少なくとも１つの縁部に全体的に印刷することを意味することを意図し、印刷媒体の一部分を２つ以上の縁部に全体的に印刷すること、例えば、印刷媒体の全面に印刷し、それによって、いずれの縁部にも境界を残さないことを含むこともできることを理解されたい。従来の印刷システム及び印刷媒体は、それらの媒体上にフルブリード印刷された画像をもたらすために、印刷されていないままであり、後に除去される、例えば、トリミングされる境界又は縁部を必要とする。かかるフルブリード印刷は、従来とは異なる媒体、例えば、布地、ティッシュペーパー、封筒などにおいて特に困難である。
【０００５】
本開示は、前述の欠点を克服する、印刷可能媒体、及びその上にフルブリード画像を形成するための方法に対処する。
【０００６】
本明細書に例示される態様によれば、キャリア層、第１の封筒、及び第１の接着剤を含む印刷可能媒体が提供される。キャリア層は、第１の面積を有する第１の表面、及び第１の表面の反対側の第２の表面を含む。第１の封筒は、第３の表面、第３の表面の反対側の第４の表面、及び第１の面積よりも小さい第２の面積を含む。第１の封筒は、第４の表面を第１の表面に接合する第１の接着剤によってキャリア層に固着される。
【０００７】
本明細書に例示される態様によれば、キャリア層及び第１の封筒を含む印刷可能媒体が提供される。キャリア層は、第１の表面、第１の表面の反対側の第２の表面、及びキャリア層を通る第１のスロットを含む。第１の封筒は、第１の閉じ部及び第１の面積を含む。第１の封筒は、第１の閉じ部が第２の表面に隣接するように、第１の閉じ部を第１のスロットに通過させることによってキャリア層に固着され、第１の面積は、第１の表面の総面積よりも小さい。
【０００８】
本明細書に例示される態様によれば、キャリア層、第１の接着剤、及びライナー層を含む印刷可能媒体が提供される。キャリア層は、第１の面積を有する第１の表面、第１の表面の反対側の第２の表面、及び第１の剛性を含む。第１の接着剤は、第１の面積上に堆積される。ライナー層は、ライナー層を第１の部分と第２の部分とに分離するように配置された第１の切れ目線を含む。ライナー層は、第１の接着剤によってキャリア層に解放可能に固着される。第３の表面、第３の表面の反対側の第４の表面、及び第１の剛性よりも小さい第２の剛性を含む可撓性材料は、ライナー層の第１の部分及び第２の部分のうちの少なくとも１つを除去した後に、第４の表面を第１の表面に接合する第１の接着剤によってキャリア層に固着される。
【０００９】
本明細書に例示される他の態様によれば、フルブリード封筒を印刷する方法を提供するための方法であって、第１の接着剤を用いて第１の封筒をキャリア層に解放可能に固着することであって、キャリア層が、第１の面積を有する第１の表面、及び第１の表面の反対側の第２の表面を含み、第１の封筒が、第１の縁部を有する第３の表面、第３の表面の反対側の第４の表面、及び第１の面積よりも小さい第２の面積を含み、第１の封筒が、第４の表面を第１の表面に接合する第１の接着剤によってキャリア層に解放可能に固着される、解放可能に固着することと、第１の乾燥マーキング材料を、第１の封筒の第３の表面の第１の縁部にすぐ隣接して塗布することと、融着器を用いて、第１の乾燥マーキング材料を第１の封筒に融着させることと、を含む、方法が提供される。
【図面の簡単な説明】
【００１０】
【図１】互いに分離したキャリア層及び封筒の一実施形態の斜視図である。
【図２】接着剤によってキャリア層に解放可能に固着された封筒を有するキャリア層の一実施形態の斜視図である。
【図３】キャリア層の一実施形態の第１の表面の平面図である。
【図４】図３に描写される第１の表面の反対側に配置されたキャリア層の一実施形態の第２の表面の平面図である。
【図５】接着剤によってキャリア層に解放可能に固着された封筒を描写する、本印刷可能媒体の一実施形態の断面図である。
【図６】接着剤によって２つの封筒をキャリア層に解放可能に固着する一実施形態を描写する、本印刷可能媒体の一実施形態の平面図である。
【図７】接着剤によって２つの封筒をキャリア層に解放可能に固着する一実施形態を描写する、本印刷可能媒体の一実施形態の平面図である。
【図８】接着剤によって３つの封筒をキャリア層に解放可能に固着する一実施形態を描写する、本印刷可能媒体の一実施形態の平面図である。
【図９】接着剤によって３つの封筒をキャリア層に解放可能に固着する一実施形態を描写する、本印刷可能媒体の一実施形態の平面図である。
【図１０】接着剤によって４つの封筒をキャリア層に解放可能に固着する一実施形態を描写する、本印刷可能媒体の一実施形態の平面図である。
【図１１】接着剤によって４つの封筒をキャリア層に解放可能に固着する一実施形態を描写する、本印刷可能媒体の一実施形態の平面図である。
【図１２】接着剤によって４つの封筒をキャリア層に解放可能に固着する一実施形態を描写する、本印刷可能媒体の一実施形態の平面図である。
【図１３】接着剤によって４つの封筒をキャリア層に解放可能に固着する一実施形態を描写する、本印刷可能媒体の一実施形態の平面図である。
【図１４】接着剤によって４つの封筒をキャリア層に解放可能に固着する一実施形態を描写する、本印刷可能媒体の一実施形態の平面図である。
【図１５】接着剤によって４つの封筒をキャリア層に解放可能に固着する一実施形態を描写する、本印刷可能媒体の一実施形態の平面図である。
【図１６】接着剤によって４つの封筒をキャリア層に解放可能に固着する一実施形態を描写する、本印刷可能媒体の一実施形態の平面図である。
【図１７】接着剤によって４つの封筒をキャリア層に解放可能に固着する一実施形態を描写する、本印刷可能媒体の一実施形態の平面図である。
【図１８】互いに分離したキャリア層及び封筒の一実施形態の斜視図である。
【図１９】キャリア層内のスロットを介してキャリア層に解放可能に固着された封筒を有するキャリア層の一実施形態の斜視図である。
【図２０】キャリア層の一実施形態の第１の表面の平面図である。
【図２１】図２０に描写される第１の表面の反対側に配置されたキャリア層の一実施形態の第２の表面の平面図である。
【図２２】封筒上の閉じ部をキャリア層内のスロットに通過させることによって、キャリア層に解放可能に固着された封筒を描写する、本印刷可能媒体の一実施形態の断面図である。
【図２３】接着剤によって２つの封筒をキャリア層に解放可能に固着する一実施形態を描写する、本印刷可能媒体の一実施形態の平面図である。
【図２４】接着剤によって２つの封筒をキャリア層に解放可能に固着する一実施形態を描写する、本印刷可能媒体の一実施形態の平面図である。
【図２５】接着剤によって３つの封筒をキャリア層に解放可能に固着する一実施形態を描写する、本印刷可能媒体の一実施形態の平面図である。
【図２６】接着剤によって３つの封筒をキャリア層に解放可能に固着する一実施形態を描写する、本印刷可能媒体の一実施形態の平面図である。
【図２７】接着剤によって４つの封筒をキャリア層に解放可能に固着する一実施形態を描写する、本印刷可能媒体の一実施形態の平面図である。
【図２８】接着剤によって４つの封筒をキャリア層に解放可能に固着する一実施形態を描写する、本印刷可能媒体の一実施形態の平面図である。
【図２９】接着剤によって４つの封筒をキャリア層に解放可能に固着する一実施形態を描写する、本印刷可能媒体の一実施形態の平面図である。
【図３０】接着剤によって４つの封筒をキャリア層に解放可能に固着する一実施形態を描写する、本印刷可能媒体の一実施形態の平面図である。
【図３１】接着剤によって４つの封筒をキャリア層に解放可能に固着する一実施形態を描写する、本印刷可能媒体の一実施形態の平面図である。
【図３２】接着剤によって４つの封筒をキャリア層に解放可能に固着する一実施形態を描写する、本印刷可能媒体の一実施形態の平面図である。
【図３３】接着剤によって４つの封筒をキャリア層に解放可能に固着する一実施形態を描写する、本印刷可能媒体の一実施形態の平面図である。
【図３４】接着剤によって４つの封筒をキャリア層に解放可能に固着する一実施形態を描写する、本印刷可能媒体の一実施形態の平面図である。
【図３５】解放可能なライナー層、及びそこから分離された可撓性材料、例えば、布地を有するキャリア層の一実施形態の斜視図である。
【図３６】キャリア層、及びライナー層の一部分を除去した後に接着剤によってキャリア層に解放可能に固着された可撓性材料、例えば、布地の一実施形態の斜視図である。
【図３７】キャリア層、及びライナー層の様々な部分を除去した後に接着剤によってキャリア層に解放可能に固着された複数の可撓性材料、例えば、布地の一実施形態の斜視図である。
【図３８】単一の融着器を有し、本印刷可能媒体上に乾燥マーキング材料を堆積させるように配置された印刷システムの一実施形態の側面立面図である。
【図３９】単一の乾燥機を有し、本印刷可能媒体上に液体マーキング材料を堆積させるように配置された印刷システムの一実施形態の側面立面図である。
【図４０】接着剤によってキャリア層に解放可能に固着された封筒及びカードを有するキャリア層の一実施形態の斜視図である。
【図４１】接着剤によってキャリア層に解放可能に固着された封筒及び内部の一体型カードを有するキャリア層の一実施形態の斜視図である。
【図４２】キャリア層内のスロットを介してキャリア層に解放可能に固着された封筒及びカードを有するキャリア層の一実施形態の斜視図である。
【図４３】キャリア層内のスロットを介してキャリア層に解放可能に固着された封筒及び内部の一体型カードを有するキャリア層の一実施形態の斜視図である。
【発明を実施するための形態】
【００１１】
最初に、異なる図面上の同様の描画番号は、本明細書に記載される実施形態の同一の又は機能的に同様の構造要素を識別することを理解されたい。更に、これらの実施形態は、記載される特定の方法論、材料、及び修正に限定されるものではなく、したがって、当然ながら変化し得ることが理解される。本明細書で使用される用語は、特定の態様を説明するためだけのものであり、添付の特許請求の範囲によってのみ限定される、開示される実施形態の範囲を限定することを意図するものではないことも理解されたい。
【００１２】
別様に定義されない限り、本明細書で使用される全ての技術用語及び科学用語は、これらの実施形態が属する、当業者に一般的に理解されるものと同じ意味を有する。「実質的に」という用語は、「ほぼ」、「非常に近く」、「約」、「およそ」、「周囲」、「に近い」、「近接して」、「本質的に」、「の近辺」、「の付近」などの用語と同義であり、かかる用語は、本明細書及び特許請求の範囲に現れるように互換的に使用され得ることを理解されたい。「近似の」という用語は、「近くの」、「近い」、「隣接する」、「近辺」、「すぐ」、「隣の」などの用語と同義であり、かかる用語は、本明細書及び特許請求の範囲に現れるように互換的に使用され得ることを理解されたい。「およそ」という用語は、指定された値の１０パーセント以内の値を意味することを意図する。
【００１３】
本明細書で使用される場合、「プロセス方向」とは、印刷媒体がシステムを通って進む方向を意味することを意図し、「クロスプロセス方向」とは、プロセス方向に垂直な方向を意味することを意図する。本明細書で使用される場合、「全幅」、例えば、「全幅アレイセンサ」及び「全幅印刷ヘッドアレイ」とは、基材の有意な幅を覆う任意の構造として広く解釈されることを意図する。「全幅アレイセンサ」は、プロセス方向に対して垂直に配置され、制御システムに関連するサイズで画像データを捕捉／記録することが可能な、フォトセンサの少なくとも１つの線形アレイを含む。例えば、いくつかの実施形態では、全幅アレイセンサの長さは、当該センサが検査する基材の幅のおよそ半分である。更に、「プリンタ」、「プリンタシステム」、「印刷システム」、「プリンタデバイス」、及び「印刷デバイス」という語句は、本明細書で使用される場合、任意の目的のために印刷出力機能を実施する、デジタル複写機、製本機械、ファクシミリ機械、多機能機械などのような任意の装置を包含する一方、「多機能デバイス」及び「ＭＦＤ」は、本明細書で使用される場合、プリンタ、複写機、ファックス機械、及び／又はスキャナを含むが、これらに限定されない複数の異なる撮像デバイスを含み、有線接続又は無線接続のいずれかを介して、ローカルエリアネットワーク、ワイドエリアネットワーク、イーサネット（登録商標）に基づいたネットワーク、又はインターネットへの接続を更に提供し得るデバイスを意味することを意図する。ＭＦＤは、１つのユニット内でいくつかの機能を組み合わせる任意のハードウェアを更に指すことができる。例えば、ＭＦＤとしては、スタンドアロンプリンタ、１つ以上のパーソナルコンピュータ、スタンドアロンスキャナ、携帯電話、ＭＰ３プレーヤ、オーディオエレクトロニクス、ビデオエレクトロニクス、ＧＰＳシステム、テレビ、記録媒体及び／若しくは再生媒体、又は任意の他のタイプの消費者若しくは非消費者向けアナログエレクトロニクス及び／若しくはデジタルエレクトロニクスを挙げることができるが、これらに限定されない。更に、本明細書で使用される場合、「シート」、「紙のシート」、及び「紙」は、例えば、紙、スライドフィルム、羊皮紙、フィルム、布地、プラスチック、写真仕上げ紙、又は上部に情報若しくはマーキングを可視化及び／又は再生することができるウェブの形態の他のコーティングされた若しくはコーティングされていない基材媒体を指す。
【００１４】
本明細書で使用される場合、トナーなどの乾燥マーキング材料に関して「融着する」とは、塗布された乾燥マーキング材料（トナー）粒子をわずかに液化させ、次にそれらを表面に被着させる効果を有する、熱エネルギー及び／又は圧力を供給することを意味することを意図する。本明細書で使用される場合、「乾燥させる」とは、インクの液体成分（液体マーキング材料）を蒸発させる効果を有する、典型的には放射形態及び／又は対流形態の熱エネルギーであるが、必ずしもそうではないエネルギーを加えることを意味することを意図する。本明細書で使用される場合、例えば、ＩＲインク（液体マーキング材料）に関して「硬化させる」とは、塗布されたインクの少なくとも１つの成分内で化学反応を引き起こし、それによって、インクを表面に固定させる効果を有する、典型的には赤外線などによるエネルギーであるが、必ずしもそうではないエネルギーを加えることを意味することを意図する。本出願及びその特許請求の範囲の文脈において、「乾燥させる」とは、両方の用語が、液体マーキング材料を、印刷媒体に装着された恒久的に固定、硬化、及び／又は乾燥された材料にする方法に適用されるため、「硬化させる」を含むことを意図することを理解されたい。したがって、液体マーキング材料を乾燥させるという表現、又はそれと同様の表現を列挙する全ての請求項は必然的に、液体マーキング材料を硬化させることも含む。
【００１５】
本明細書で使用される場合、「平均」という用語は、結果データ又は決定が、重量平均、転動型入力に基づく「はい」又は「いいえ」の決定などを含むことができるが、これらに限定されない複数の入力データに基づいて得られる任意の計算を含むように広く解釈されよう。更に、本明細書で使用される場合、システム又は要素と組み合わせて「のうちの少なくとも１つを備える（ｃｏｍｐｒｉｓｅｓ  ａｔ  ｌｅａｓｔ  ｏｎｅ  ｏｆ）（ｃｏｍｐｒｉｓｉｎｇ  ａｔ  ｌｅａｓｔ  ｏｎｅ  ｏｆ）」という表現は、システム又は要素が、その表現の後に列挙される要素のうちの１つ以上を含むことを意味することを意図する。例えば、第１の要素、第２の要素、及び第３の要素のうちの少なくとも１つを備えるデバイスは、以下の構造的配置、第１の要素を備えるデバイス、第２の要素を備えるデバイス、第３の要素を備えるデバイス、第１の要素及び第２の要素を備えるデバイス、第１の要素及び第３の要素を備えるデバイス、第１の要素、第２の要素、及び第３の要素を備えるデバイス、又は第２の要素及び第３の要素を備えるデバイス、のいずれか１つとして解釈されることを意図する。同様の解説は、「のうちの少なくとも１つに使用される」という表現が本明細書で使用されるときに意図される。更に、本明細書で使用される場合、「及び／又は」は、列挙された要素又は条件のうちの１つ以上が含まれ得るか又は発生し得ることを示すために使用される文法的な連結を意味することを意図する。例えば、第１の要素、第２の要素、及び／又は第３の要素を備えるデバイスは、以下の構造的配置、第１の要素を備えるデバイス、第２の要素を備えるデバイス、第３の要素を備えるデバイス、第１の要素及び第２の要素を備えるデバイス、第１の要素及び第３の要素を備えるデバイス、第１の要素、第２の要素、及び第３の要素を備えるデバイス、又は第２の要素及び第３の要素を備えるデバイス、のいずれか１つとして解釈されることを意図する。
【００１６】
更に、本明細書に記載されるものと同様又は同等の任意の方法、デバイス、又は材料を、これらの実施形態の実践又は試験に使用することができるが、方法、デバイス、及び材料のいくつかの実施形態をここで説明する。
【００１７】
概して、いくつかの実施形態では、印刷可能媒体５０は、キャリア層５２、封筒５４、及び接着剤５６を備える。キャリア層５２は、面積６０を備える表面５８、及び表面５８の反対側の表面６２を備える。封筒５４は、表面６４、表面６４の反対側の表面６６、及び面積６０より小さい面積６８を備える。封筒５４は、表面６６を表面５８に接合する接着剤５６によってキャリア層５２に固着される。
【００１８】
いくつかの実施形態では、接着剤５６は、堆積された面積６０である。いくつかの実施形態では、面積６０は、表面５８の総面積７０以下である。
【００１９】
いくつかの実施形態では、キャリア層５２は、表面６２上の面積７２を更に備え、封筒５４は、閉じ部７４を備える。接着剤５６は、面積６０上に堆積され、接着剤７６は、面積７２上に堆積され、封筒５４は、表面６６を表面５８に接合する接着剤５６と、閉じ部７４を表面６２に接合する接着剤７６とによってキャリア層５２に固着される。前述の実施形態は、以下により詳細に記載されるように、閉じ部７４がキャリア層５２を通過するか、又はリード縁部７８の周囲を通ると、より良好に働くことを理解されたい。
【００２０】
いくつかの実施形態では、印刷可能媒体５０は、封筒８０を更に含む。封筒８０は、表面８２、表面８２の反対側の表面８４（図示せず）、及び面積６０より小さい面積８６を備える。封筒８０は、表面８４（図示せず）を表面５８に接合する接着剤５６によってキャリア層５２に固着される。
【００２１】
いくつかの実施形態では、面積６８と面積８６との組み合わせは、面積６０よりも小さい。いくつかの実施形態では、封筒５４は、縁部８８を備え、封筒８０は、縁部９０を備え、縁部８８は、縁部９０に接触する。いくつかの実施形態では、縁部８８は、縁部９０に隣接し、縁部９０から分離されている。
【００２２】
いくつかの実施形態では、印刷可能媒体５０は、表面９４、表面９４の反対側の表面９６、及び面積６０よりも小さい面積９８を備える封筒９２を更に含む。封筒９２は、表面９６を表面５８に接合する接着剤５６によってキャリア層５２に固着される。いくつかの実施形態では、面積６８と、面積７２と、面積９８との組み合わせは、面積６０よりも小さい。いくつかの実施形態では、封筒５４は、縁部８８を備え、封筒８０は、縁部９０及び縁部１００を備え、封筒９２は、縁部１０２を備え、縁部８８は、縁部９０に接触し、縁部１００は、縁部１０２に接触する。いくつかの実施形態では、縁部８８は、縁部９０に隣接し、縁部９０から分離されており、縁部１００は、縁部１０２に隣接し、縁部１０２から分離されている。
【００２３】
いくつかの実施形態では、印刷可能媒体５０は、表面１０６、表面１０６の反対側の表面１０８、及び面積６０よりも小さい面積１１０を備える封筒１０４を更に含む。封筒１０４は、表面１０８を表面５８に接合する接着剤５６によってキャリア層５２に固着される。いくつかの実施形態では、面積６８と、面積８６と、面積９８と、面積１１０との組み合わせは、面積６０よりも小さい。
【００２４】
いくつかの実施形態では、封筒５４は、縁部８８を備え、封筒８０は、縁部９０及び縁部１００を備え、封筒９２は、縁部１０２及び縁部１１２を備え、封筒１０４は、縁部１１４を備え、縁部８８は、縁部９０に接触し、縁部１００は、縁部１０２に接触し、縁部１１２は、縁部１１４に接触する。いくつかの実施形態では、縁部８８は、縁部９０に隣接し、縁部９０から分離されており、縁部１００は、縁部１０２に隣接し、縁部１０２から分離されており、縁部１１２は、縁部１１４に隣接し、縁部１１４から分離されている。いくつかの実施形態では、封筒５４は、縁部１１６を備え、封筒１０４は、縁部１１８を備え、縁部１１６は、縁部１１８に接触する。いくつかの実施形態では、縁部１１６は、縁部１１８に隣接し、縁部１１８から分離されている。
【００２５】
いくつかの実施形態では、封筒５４は、縁部８８を備え、封筒８０は、縁部９０、縁部１００、及び縁部１２０を備え、封筒９２は、縁部１０２を備え、封筒１０４は、縁部１１４を備え、縁部８８は、縁部９０に接触し、縁部１００は、縁部１０２に接触し、縁部１２０は、縁部１１４に接触する。いくつかの実施形態では、縁部８８は、縁部９０に隣接し、縁部９０から分離されており、縁部１００は、縁部１０２に隣接し、縁部１０２から分離されており、縁部１２０は、縁部１１４に隣接し、縁部１１４から分離されている。
【００２６】
いくつかの実施形態では、キャリア層５２は、リード縁部７８及びトレール縁部１２２を備え、封筒５４は、閉じ部７４を備え、閉じ部７４は、トレール縁部１２２に向かって方向付けられている。
【００２７】
前述の実施形態は、１つ以上の封筒へのフルブリード印刷を可能にすることを理解されたい。例えば、液体又は乾燥マーキング材料１２４は、封筒５４上に堆積されてもよく、それによって、液体又は乾燥マーキング材料１２４の部分１２６が封筒５４上に堆積される一方、液体又は乾燥マーキング材料１２４の部分１２８はキャリア層５２上に堆積される。封筒５４をキャリア層５２から除去すると、液体又は乾燥マーキング材料１２４によって形成された画像は、フルブリード形態で印刷されて現れる。
【００２８】
概して、いくつかの実施形態では、印刷可能媒体２５０は、キャリア層２５２、及び封筒２５４を備える。キャリア層２５２は、表面２５６、表面２５６の反対側の表面２５８、及びスロット２６０を備える。封筒２５４は、閉じ部２６２及び面積２６４を備える。封筒２５４は、閉じ部２６２が表面２５８に隣接するように、閉じ部２６２をスロット２６０に通過させることによってキャリア層２５２に固着され、面積２６４は、表面２５６の総面積２６６よりも小さい。
【００２９】
いくつかの実施形態では、印刷可能媒体２５０は、封筒２６８を更に含む。封筒２６８は、閉じ部２７０及び面積２７２を備える。キャリア層２５２は、スロット２７４を更に備える。封筒２６８は、閉じ部２７０が表面２５８に隣接するように、閉じ部２７０をスロット２７４に通過させることによってキャリア層２５２に固着される。面積２６４と面積２７２との組み合わせは、表面２５６の総面積２６６よりも小さい。
【００３０】
いくつかの実施形態では、封筒２５４は、縁部２７６を備え、封筒２６８は、第２の縁部２７８を備え、縁部２７６は、縁部２７８に接触する。いくつかの実施形態では、縁部２７６は、縁部２７８に隣接し、縁部２７８から分離されている。
【００３１】
いくつかの実施形態では、印刷可能媒体２５０は、封筒２８０を更に含む。封筒２８０は、閉じ部２８２及び面積２８４を備える。キャリア層２５２は、スロット２８６を更に備える。封筒２８０は、閉じ部２８２が表面２５８に隣接するように、閉じ部２８２をスロット２８６に通過させることによってキャリア層２５２に固着される。面積２６４と、面積２７２と、面積２８４との組み合わせは、表面２５６の総面積２６６よりも小さい。
【００３２】
いくつかの実施形態では、封筒２５４は、縁部２７６を備え、封筒２６８は、縁部２７８及び縁部２８８を備え、封筒２８０は、縁部２９０を備え、縁部２７６は、縁部２７８に接触し、縁部２８８は、縁部２９０に接触する。いくつかの実施形態では、縁部２７６は、縁部２７８に隣接し、縁部２７８から分離されており、縁部２８８は、縁部２９０に隣接し、縁部２９０から分離されている。
【００３３】
いくつかの実施形態では、印刷可能媒体２５０は、封筒２９２を更に含む。封筒２９２は、閉じ部２９４及び面積２９６を備える。キャリア層２５２は、スロット２９８を更に備える。封筒２９２は、閉じ部２９４が表面２５８に隣接するように、閉じ部２９４をスロット２９８に通過させることによってキャリア層２５２に固着される。面積２６４と、面積２７２と、面積２８４と、面積２９６との組み合わせは、表面２５６の総面積２６６よりも小さい。
【００３４】
いくつかの実施形態では、封筒２５４は、縁部２７６を備え、封筒２６８は、縁部２７８及び縁部２８８を備え、封筒２８０は、縁部２９０及び縁部３００を備え、封筒２９２は、縁部３０２を備え、縁部２７６は、縁部２７８に接触し、縁部２８８は、縁部２９０に接触し、縁部３００は、縁部３０２に接触する。いくつかの実施形態では、縁部２７６は、縁部２７８に隣接し、縁部２７８から分離されており、縁部２８８は、縁部２９０に隣接し、縁部２９０から分離されており、縁部３００は、縁部３０２に隣接し、縁部３０２から分離されている。いくつかの実施形態では、封筒２５４は、縁部３０４を備え、封筒２９２は、縁部３０６を備え、縁部３０２は、縁部３０４に接触する。いくつかの実施形態では、縁部３０２は、縁部３０４に隣接し、縁部３０４から分離されている。
【００３５】
いくつかの実施形態では、封筒２５４は、縁部２７６を備え、封筒２６８は、縁部２７８、縁部２８８、及び縁部３０８を備え、封筒２８０は、縁部３００を備え、封筒２９２は、縁部３０２を備え、縁部２７６は、縁部２７８に接触し、縁部２８８は、縁部２９０に接触し、縁部３０８は、縁部３０２に接触する。いくつかの実施形態では、縁部２７６は、縁部２７８に隣接し、縁部２７８から分離されており、縁部２８８は、縁部２９０に隣接し、縁部２９０から分離されており、縁部３０８は、縁部３０２に隣接し、縁部３０２から分離されている。
【００３６】
いくつかの実施形態は、共に線形に組み合わされているか又は形成されているスロットを含み得ることを理解されたい。例えば、図３３に描写される実施形態では、スロット２７４及び２９８は、共通スロット又は連続スロットであり得るか、又は２つの別個に形成されたスロットであり得る。
【００３７】
いくつかの実施形態では、キャリア層２５２は、リード縁部３１０及びトレール縁部３１２と、スロット２６０とを備え、かつそれによって、閉じ部２６２は、リード縁部３１０に向かって方向付けられている。
【００３８】
前述の実施形態は、１つ以上の封筒へのフルブリード印刷を可能にすることを理解されたい。例えば、液体又は乾燥マーキング材料３１４は、封筒２５４上に堆積されてもよく、それによって、液体又は乾燥マーキング材料３１４の部分３１６が封筒２５４上に堆積される一方、液体又は乾燥マーキング材料３１４の部分３１８はキャリア層２５２上に堆積される。封筒２５４をキャリア層２５２から除去すると、液体又は乾燥マーキング材料３１４によって形成された画像は、フルブリード形態で印刷されたように見える。
【００３９】
表面２５６及び２５８はまた、接着剤、例えば、接着剤３２０及び３２２をそれぞれ含み得ることを更に理解されたい。接着剤３２０を含む実施形態では、接着剤３２０は、封筒２５４を表面２５６に解放可能に固着するが、接着剤３２２を含む実施形態では、接着剤３２２は、閉じ部２６２を表面２５８に解放可能に固着する。
【００４０】
印刷可能媒体の前述の実施形態は、封筒を同じプリンタで、かつカード挿入物と同じ画像品質で印刷することを可能にする。更に、封筒及びカード挿入物は、両方の部分が本開示の印刷媒体内に含まれ得るため、同時に印刷され得る。例えば、印刷可能媒体５０は、接着剤５６によって面積６０内に固着された封筒５４及びカード１３２の両方を含み得る。代替的に、印刷可能媒体５０は、上に接着剤５６が堆積した面積６０を備えるキャリア層１３２と、一体的に形成されたカード１３２とを備え得る。「一体的に形成された」とは、キャリア層１３４と同じ材料から形成されるカードを意味することを意図するものであり、そのカードは、部分的に弱化された材料の縁部１３６、例えば、穿孔された縁部によって画定されることを理解されたい。したがって、封筒５４及びカード１３２上に所望の画像を印刷した後、カード１３２をキャリア層１３４から除去し、その後、封筒５４に挿入することができる。同様に、印刷可能媒体２５０は、スロット２６０及び２７４を介して、かついくつかの実施形態では、接着剤２５６及び／又は接着剤２５８を使用して、面積２６６内にそれぞれ固着された封筒２５４及びカード３２６の両方を含み得る。代替的に、印刷可能媒体２５０は、いくつかの実施形態では、上に接着剤２５６が堆積した面積３３０を備えるキャリア層３２８と、一体的に形成されたカード３２６とを備え得る。「一体的に形成された」とは、キャリア層３２８と同じ材料から形成されるカードを意味することを意図するものであり、そのカードは、部分的に弱化された材料の縁部３３２、例えば、穿孔された縁部によって画定されることを理解されたい。したがって、封筒２５４及びカード３２６上に所望の画像を印刷した後、カード３２６をキャリア層３２８から除去し、その後、封筒２５４に挿入することができる。
【００４１】
いくつかの実施形態では、印刷可能媒体４５０は、キャリア層４５２、接着剤４５４、及びライナー層４５６を備える。キャリア層４５２は、面積４６０を備える表面４５８、表面４５８の反対側の表面４６２、及び第１の剛性を備える。接着剤４５４は、面積４６０上に堆積される。ライナー層４５６は、ライナー層４５６を部分４６６と部分４６８とに分離するように配置された切れ目線４６４を備える。ライナー層４５６は、接着剤４５４によってキャリア層４５２に解放可能に固着される。接着剤５６が封筒５４をキャリア層５２に解放可能に固着するのと同様に、接着剤４５４はライナー層４５６をキャリア層４５２に解放可能に固着することを理解されたい（図５参照）。可撓性材料４７０は、表面４７２、表面４７２の反対側の表面４７４、及び第１の剛性よりも小さい第２の剛性を備える。可撓性材料４７０は、ライナー層４５６の部分４６６及び部分４６８のうちの少なくとも１つを除去した後、表面４７４を表面４５８に接合する接着剤４５４によってキャリア層４５２に固着される。
【００４２】
いくつかの実施形態では、ライナー層４５６は、ライナー層４５６を複数の部分、例えば、部分４７６、４７８、４８０、４８２、及び４８４に分離するように配置された複数の切れ目線４６４を備える。
【００４３】
いくつかの実施形態では、可撓性材料４７０をキャリア層４５２に被着させる前に、複数の部分の第１の量がキャリア層４５２から除去される。複数の部分の第１の量は、可撓性材料４７０の少なくとも１つの縁部、例えば、縁部４８６と位置合わせされた整合状態にある。いくつかの実施形態では、複数の部分の第１の量は、可撓性材料４７０の少なくとも１つの縁部、例えば、縁部４８６、及び第４の表面４７４の一部と位置合わせされた整合状態にある。
【００４４】
ライナー層４５６は、任意の数のサブ部分から形成され得ることを理解されたい。例えば、図３５に描写される実施形態は、２４個のサブ部分を含み、図３７に描写される実施形態は、１３５個のサブ部分を含む。更に、サブ部分の形状は、切れ目線の方向に依存する。したがって、サブ部分は、正方形、矩形、三角形、平行四辺形、台形などであり得る。また更に、サブ部分の別個の群を除去することができ、それによって、複数の可撓性材料をキャリア層４５２の表面４５８の近くに位置付けることができる。例えば、図３７に描写されるように、サブ部分の３つの別個の群を除去することができ、それによって、物品４８８、４９０、及び４９２をキャリア層４５２に同時に解放可能に装着することができる。様々な他の実施形態に関して上に記載されるように、キャリア層４５２に装着される物品は、布地、ティッシュペーパー、封筒などを含むが、これらに限定されない様々な品目であってもよい。更に、前述のサブ部分は、物品をキャリア層４５２に解放可能に固着するために、異なるパターンで除去され得る。例えば、各物品の縁部に対応する一群のサブ部分を除去して、ライナー層４５６の中央部分をそのまま残すことができ、又は代替的に、各物品の縁部及び中央部分に対応する全てのサブ部分を除去することができる。前述の選択は、固着される物品のタイプに基づいて判定され得る。例えば、封筒は、縁部に沿ってのみ固着され得るが、布地材料は、布地材料の形状及びサイズに対応するライナー層４５６の部分全体を除去することによって固着され得る。
【００４５】
また更に、前述の実施形態は、１つ以上の封筒、及び／又は可撓性材料の１つ以上の断片へのフルブリード印刷を可能にすることを理解されたい。例えば、液体又は乾燥マーキング材料４９４は、印刷可能媒体４５０上に堆積されてもよく、それによって、液体又は乾燥マーキング材料４９４の部分４９６が可撓性材料４７０上に堆積される一方、液体又は乾燥マーキング材料４９４の部分４９８はキャリア層４５２上に堆積される。可撓性材料４７０をキャリア層４５２から除去すると、液体又は乾燥マーキング材料４９４によって形成された画像は、フルブリード形態で印刷されたように見える。
【００４６】
なおまた更に、本明細書に記載される印刷媒体は、様々な印刷システムにおいて使用され得ることを理解されたい。例えば、プリンタ５００は部分的に、伝達ベルト５０２、乾燥マーキング材料ディスペンサ５０４、５０６、５０８、及び５１０、音響伝達補助（ａｃｏｕｓｔｉｃ  ｔｒａｎｓｆｅｒ  ａｓｓｉｓｔ、ＡＴＡ）デバイス５１２、並びに融着器５１４を備える一方、プリンタ６００は部分的に、液体マーキング材料ディスペンサ６０２、６０４、６０６、及び６０８、並びに乾燥機６１０を備える。
【００４７】
上の背景技術の項に記載の同時に提出された出願に記載されるように、最終画像形成の場所、例えば、隣接するＡＴＡ５１２又は隣接する液体マーキング材料ディスペンサ６０８と、画像を固定する場所、例えば、融着器５１４又は乾燥機６１０との間の距離は、特定のシステム内で使用され得る印刷可能媒体の長さを判定する。したがって、ＡＴＡ５１２が融着器５１４から５３インチである場合、５３インチの印刷可能媒体を使用することができる。更に、キャリア層の両側に特定の特徴を配置することによって、例えば、印刷可能媒体４５０は、両側に接着剤とライナー層とを含むことができ、非常に長い長さの媒体をキャリア層の周囲で折り畳み、それによって、２倍の印刷可能長さをもたらすことができる場合、印刷可能媒体の長さを２倍にすることができる。上記を考慮して、より長い長さの印刷媒体は、より大きな及び／若しくはより多くの数の封筒又は可撓性材料が印刷システムを一度に通過することを可能にすることを理解されたい。
【００４８】
概して、本開示は、フルブリード封筒を印刷する方法の様々な実施形態を含む。いくつかの実施形態では、本方法は、第１の接着剤、例えば、接着剤５６を用いて第１の封筒、例えば、封筒５４をキャリア層、例えば、キャリア層５２に解放可能に固着することであって、キャリア層が、第１の面積、例えば、面積６０を備える第１の表面、例えば、表面５８、及び第１の表面の反対側の第２の表面、例えば、表面６２を備え、第１の封筒が、第１の縁部、例えば、縁部１３０を備える第３の表面、例えば、表面６４、第３の表面の反対側の第４の表面、例えば、表面６６、及び第１の面積よりも小さい第２の面積、例えば、面積６８を備え、第１の封筒が、第４の表面を第１の表面に接合する第１の接着剤によってキャリア層に解放可能に固着される、解放可能に固着することと、第１の乾燥マーキング材料、例えば、乾燥マーキング材料１２４を、第１の封筒の第３の表面の第１の縁部にすぐ隣接して塗布することと、融着器、例えば、融着器５１４を用いて、第１の乾燥マーキング材料を第１の封筒に融着させることと、を含む。
【００４９】
いくつかの実施形態では、フルブリード封筒を印刷する方法は、第１の接着剤、例えば、接着剤５６を用いて第１の封筒、例えば、封筒５４をキャリア層、例えば、キャリア層５２に解放可能に固着することであって、キャリア層が、第１の面積、例えば、面積６０を備える第１の表面、例えば、表面５８、及び第１の表面の反対側の第２の表面、例えば、表面６２を備え、第１の封筒が、第１の縁部、例えば、縁部１３０を備える第３の表面、例えば、表面６４、第３の表面の反対側の第４の表面、例えば、表面６６、及び第１の面積よりも小さい第２の面積、例えば、面積６８を備え、第１の封筒が、第４の表面を第１の表面に接合する第１の接着剤によってキャリア層に解放可能に固着される、解放可能に固着することと、第１の液体マーキング材料、例えば、液体マーキング材料１２４を、第１の封筒の第３の表面の第１の縁部にすぐ隣接して塗布することと、乾燥機、例えば、乾燥機６１０を用いて、第１の液体マーキング材料を第１の封筒に乾燥させることと、を含む。
【００５０】
いくつかの実施形態では、フルブリード封筒を印刷する方法は、第１の接着剤、例えば、接着剤３２０を用いて第１の封筒、例えば、封筒２５４をキャリア層、例えば、キャリア層２５２に解放可能に固着することであって、キャリア層が、第１の表面、例えば、表面２５６、第１の表面の反対側の第２の表面、例えば、表面２５８、及び第１のスロット、例えば、スロット２６０を備え、第１の封筒が、第１の閉じ部、例えば、閉じ部２６２、第１の縁部、例えば、縁部３２６を備える第３の表面、例えば、表面３２４、及び第１の面積、例えば、面積２６４を備え、第１の封筒が、閉じ部が第２の表面に隣接するように、第１の閉じ部を第１のスロットに通過させることによってキャリア層に固着され、第１の面積が、第１の表面の総面積、例えば、面積２６６よりも小さい、解放可能に固着することと、第１の乾燥マーキング材料、例えば、乾燥マーキング材料３１４を、第１の封筒の第３の表面の第１の縁部にすぐ隣接して塗布することと、融着器、例えば、融着器５１４を用いて、第１の乾燥マーキング材料を第１の封筒に融着させることと、を含む。
【００５１】
いくつかの実施形態では、フルブリード封筒を印刷する方法は、第１の接着剤、例えば、接着剤３２０を用いて第１の封筒、例えば、封筒２５４をキャリア層、例えば、キャリア層２５２に解放可能に固着することであって、キャリア層が、第１の表面、例えば、表面２５６、第１の表面の反対側の第２の表面、例えば、表面２５８、及び第１のスロット、例えば、スロット２６０を備え、第１の封筒が、第１の閉じ部、例えば、閉じ部２６２、第１の縁部、例えば、縁部３２６を備える第３の表面、例えば、表面３２４、及び第１の面積、例えば、面積２６４を備え、第１の封筒が、閉じ部が第２の表面に隣接するように、第１の閉じ部を第１のスロットに通過させることによってキャリア層に固着され、第１の面積が、第１の表面の総面積、例えば、面積２６６よりも小さい、解放可能に固着することと、第１の液体マーキング材料、例えば、液体マーキング材料３１４を、第１の封筒の第３の表面の第１の縁部にすぐ隣接して塗布することと、乾燥機、例えば、乾燥機６１０を用いて、第１の液体マーキング材料を第１の封筒に乾燥させることと、を含む。
【００５２】
封筒は、多くの異なるサイズ及び形状で構成されることを理解されたい。場合によっては、それらの封筒を視認する際にもたらされる影響を増加させるために、封筒をフルブリード印刷することが望ましい。いくつかの封筒、例えば、１次元で１０インチ未満の封筒は、高いスループット速度で高い画像品質を維持しながら、従来の印刷システムを通過するのは困難である。上に記載される印刷媒体及びそれを使用する方法の実施形態は、これらの欠点を克服する。
【００５３】
本開示は、封筒をフルブリード印刷するため、すなわち、画像を少なくとも１つの縁部に全体的に形成するためのデバイス及び方法の実施形態を含む。同時に提出された出願に記載される融着器／乾燥機の配置は、以前は不可能であった長さの媒体に印刷すること、例えば、５３インチの長さの紙に印刷することを可能にする。本明細書に記載されるデバイス及び方法は、封筒をキャリア層上の開口部内に部分的に位置付けることができるという点で、より大きな媒体の選択肢から恩恵を受ける場合がある。かかるキャリア層は、大きな媒体の形態であり得、それによって、以前に可能であった封筒よりも多くの封筒に印刷することを可能にする。上に記載されるように、キャリア層は、低いタック接着剤ライナーを含み得る。例えば、気泡によるＩＱアーチファクトが封筒内に閉じ込められることを防止するために、封筒を後縁部に向かって開口部内に位置付けることができる。封筒サイズよりもわずかに大きい画像印刷サイズを印刷することにより、封筒へのフルブリード印刷を可能にする。上に記載される音響伝達補助デバイスは、含まれる場合には、封筒の折り畳み部による紙の厚さの差の影響、例えば、乾燥マーキング材料の伝達効率を最小限に抑える。他の実施形態では、例えば、切れ目付きライナー又はスロット付きライナーを使用して、封筒の垂れぶたを、キャリア層のリード縁部に向かって方向付けられたスロットを通過するように配置することができる。
【００５４】
本開示はまた、薄く、平坦な可撓性材料、例えば、既製の封筒、布地、及び他の織物に印刷するために使用される汎用ライナーの実施形態を含む。本汎用ライナーは、フルブリード印刷としても知られるシート縁部への完全な印刷を可能にし、多くの印刷システムの有用な用途を拡張する。汎用ライナーは、上に記載される問題に対処し、従来の選択肢とは考慮されなかった印刷用材料を固着するための実用的な手段を提供する。
【図１】
2020075764.tif 000003
【図２】
2020075764.tif 000004
【図３】
2020075764.tif 000005
【図４】
2020075764.tif 000006
【図５】
2020075764.tif 000007
【図６】
2020075764.tif 000008
【図７】
2020075764.tif 000009
【図８】
2020075764.tif 000010
【図９】
2020075764.tif 000011
【図１０】
2020075764.tif 000012
【図１１】
2020075764.tif 000013
【図１２】
2020075764.tif 000014
【図１３】
2020075764.tif 000015
【図１４】
2020075764.tif 000016
【図１５】
2020075764.tif 000017
【図１６】
2020075764.tif 000018
【図１７】
2020075764.tif 000019
【図１８】
2020075764.tif 000020
【図１９】
2020075764.tif 000021
【図２０】
2020075764.tif 000022
【図２１】
2020075764.tif 000023
【図２２】
2020075764.tif 000024
【図２３】
2020075764.tif 000025
【図２４】
2020075764.tif 000026
【図２５】
2020075764.tif 000027
【図２６】
2020075764.tif 000028
【図２７】
2020075764.tif 000029
【図２８】
2020075764.tif 000030
【図２９】
2020075764.tif 000031
【図３０】
2020075764.tif 000032
【図３１】
2020075764.tif 000033
【図３２】
2020075764.tif 000034
【図３３】
2020075764.tif 000035
【図３４】
2020075764.tif 000036
【図３５】
2020075764.tif 000037
【図３６】
2020075764.tif 000038
【図３７】
2020075764.tif 000039
【図３８】
2020075764.tif 000040
【図３９】
2020075764.tif 000041
【図４０】
2020075764.tif 000042
【図４１】
2020075764.tif 000043
【図４２】
2020075764.tif 000044
【図４３】
2020075764.tif 000045